【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
ユーザが画角の変更を指示するための第１の操作部と、
画像から被写体を検出する被写体検出手段と、
前記第１の操作部の操作に応じて画角を制御する制御手段と、を有し、
前記制御手段は、前記第１の操作部を介した第１の操作に応じて第１のモードを実行し、前記第１の操作と異なる第２の操作に応じて第２のモードを実行し、
前記第１のモードにおいて、前記制御手段は、前記被写体検出手段の検出結果に基づいて画角を変更するよう制御し、
前記第２のモードにおいて、前記制御手段は、前記第２の操作に応じて画角を広角側に変更するよう制御することを特徴とする制御装置。
【請求項２】
画像を表示する表示手段を有し、
前記第１のモードにおいて、前記制御手段は、前記被写体検出手段により検出された被写体が所定の条件を満たす場合、画角を広角側に変更するよう制御するとともに、変更前の画角を第１の画角に設定し、当該第１の画角を示す表示を行うよう前記表示手段を制御することを特徴とする請求項１に記載の制御装置。
【請求項３】
前記第２のモードにおいて、前記制御手段は、前記第２の操作に応じて画角を広角側に変更するよう制御するとともに、変更前の画角を第２の画角に設定し、当該第２の画角を示す表示を行うよう前記表示手段を制御することを特徴とする請求項２に記載の制御装置。
【請求項４】
前記第２のモードにおいて、前記制御手段は、前記第２の操作に応じて画角を広角側に変更した状態から、前記第１の操作部を介した第３の操作に応じて画角を前記第２の画角に変更するよう制御することを特徴とする請求項３に記載の制御装置。
【請求項５】
前記所定の条件は、前記被写体検出手段により検出された被写体が画像内の第１の領域外に含まれることであることを特徴とする請求項２乃至４のいずれか１項に記載の制御装置。
【請求項６】
前記所定の条件は、前記被写体検出手段により検出された被写体のサイズが所定倍以上大きく変化することであることを特徴とする請求項２乃至４のいずれか１項に記載の制御装置。
【請求項７】
前記制御手段は、前記第１の画角を示す表示を行っている状態で、前記被写体検出手段により検出された被写体が画像内の第２の領域に包含される場合、画角を前記第１の画角に変更するよう制御することを特徴とする請求項２乃至６のいずれか１項に記載の制御装置。
【請求項８】
前記制御手段は、前記第１の操作部の操作時間に応じて、前記第１の操作と前記第２の操作のいずれかを判定することを特徴とする請求項１乃至７のいずれか１項に記載の制御装置。
【請求項９】
前記被写体検出手段は、ユーザにより指定された領域に基づいて検出した被写体を、前記第１のモードにおける検出対象としての基準被写体に設定することを特徴とする請求項１乃至８のいずれか１項に記載の制御装置。
【請求項１０】
前記被写体検出手段は、画面内の所定の領域で検出した被写体を、前記第１のモードにおける検出対象としての基準被写体に設定することを特徴とする請求項１乃至９のいずれか１項に記載の制御装置。
【請求項１１】
前記被写体検出手段は、複数の被写体を検出した場合に主被写体を選択し、当該主被写体を前記第１のモードにおける検出対象としての基準被写体に設定することを特徴とする請求項１乃至１０のいずれか１項に記載の制御装置。
【請求項１２】
前記制御手段は、焦点距離を変更することにより光学的に画角の変更を制御することを特徴とする請求項１乃至１１のいずれか１項に記載の制御装置。
【請求項１３】
前記制御手段は、電子ズームにより画角の変更を制御することを特徴とする請求項１乃至１２のいずれか１項に記載の制御装置。
【請求項１４】
レンズ装置と、
請求項１乃至１３のいずれか１項に記載の制御装置を備えた撮像装置と、を有することを特徴とする撮像システム。
【請求項１５】
第１の操作部を介して画角の変更の指示を受け付ける受け付けステップと、
画像から被写体を検出する検出ステップと、
前記第１の操作部の操作に応じて画角を制御する制御ステップと、を有し、
前記制御ステップにおいて、前記第１の操作部を介した第１の操作に応じて第１のモードを実行し、前記第１の操作と異なる第２の操作に応じて第２のモードを実行し、
前記第１のモードにおいて、前記検出ステップでの検出結果に基づいて画角を変更するよう制御し、
前記第２のモードにおいて、前記第２の操作に応じて画角を広角側に変更するよう制御することを特徴とする画角制御方法。
【請求項１６】
請求項１５に記載の画角制御方法をコンピュータに実行させるように構成されていることを特徴とするプログラム。
【請求項１７】
請求項１６に記載のプログラムを記憶していることを特徴とする記憶媒体。
【手続補正２】
【補正対象書類名】明細書
【補正対象項目名】発明の名称
【補正方法】変更
【補正の内容】
【発明の名称】制御装置、撮像システム、画角制御方法、プログラム、および、記憶媒体
【手続補正３】
【補正対象書類名】明細書
【補正対象項目名】０００１
【補正方法】変更
【補正の内容】
【０００１】
本発明は、ズーム機能を有する制御装置に関する。
【手続補正４】
【補正対象書類名】明細書
【補正対象項目名】０００６
【補正方法】変更
【補正の内容】
【０００６】
そこで本発明は、望遠撮影時に被写体が画角から外れた場合に被写体を捉え直す動作において、ユーザの操作性の高い制御装置を提供する。
【手続補正５】
【補正対象書類名】明細書
【補正対象項目名】０００７
【補正方法】変更
【補正の内容】
【０００７】
本発明の一側面としての制御装置は、ユーザが画角の変更を指示するための第１の操作部と、画像から被写体を検出する被写体検出手段と、前記第１の操作部の操作に応じて画角を制御する制御手段とを有し、前記制御手段は、前記第１の操作部を介した第１の操作に応じて第１のモードを実行し、前記第１の操作と異なる第２の操作に応じて第２のモードを実行し、前記第１のモードにおいて、前記制御手段は、前記被写体検出手段の検出結果に基づいて画角を変更するよう制御し、前記第２のモードにおいて、前記制御手段は、前記第２の操作に応じて画角を広角側に変更するよう制御する。
【手続補正６】
【補正対象書類名】明細書
【補正対象項目名】０００８
【補正方法】変更
【補正の内容】
【０００８】
本発明の他の側面としての撮像システムは、レンズ装置と、前記制御装置を備えた撮像装置とを有する。
【手続補正７】
【補正対象書類名】明細書
【補正対象項目名】０００９
【補正方法】変更
【補正の内容】
【０００９】
本発明の他の側面としての画角の制御方法は、第１の操作部を介して画角の変更の指示を受け付ける受付ステップと、画像から被写体を検出する検出ステップと、前記第１の操作部の操作に応じて画角を制御する制御ステップとを有し、前記制御ステップにおいて、前記第１の操作部を介した第１の操作に応じて第１のモードを実行し、前記第１の操作と異なる第２の操作に応じて第２のモードを実行し、前記第１のモードにおいて、前記検出ステップでの検出結果に基づいて画角を変更するよう制御し、前記第２のモードにおいて、前記第２の操作に応じて画角を広角側に変更するよう制御する。
【手続補正８】
【補正対象書類名】明細書
【補正対象項目名】００１０
【補正方法】変更
【補正の内容】
【００１０】
本発明の他の側面としてのプログラムは、前記画角制御方法をコンピュータに実行させるように構成されている。
【手続補正９】
【補正対象書類名】明細書
【補正対象項目名】００１３
【補正方法】変更
【補正の内容】
【００１３】
本発明によれば、望遠撮影時に被写体が画角から外れた場合に被写体を捉え直す動作において、ユーザの操作性の高い制御装置を提供することができる。
【手続補正１０】
【補正対象書類名】明細書
【補正対象項目名】００８０
【補正方法】変更
【補正の内容】
【００８０】
ステップＳ２１１では、ＦＡズーム操作スイッチが押下されてから所定時間内に開放されたか否かを判定する。所定時間内にＦＡズーム操作スイッチが開放された場合、自動追尾モードがキャンセルされたとして、ＦＡズーム機能を終了する。一方、所定時間内にスイッチが開放されない場合、ステップＳ２０２に進み、手動探索モードが記憶される。すなわち、本実施形態では、自動追尾モード中にＦＡズーム操作スイッチが所定時間以上押下された場合、ＦＡモードを手動探索モードに変更する。
【手続補正１１】
【補正対象書類名】明細書
【補正対象項目名】０１００
【補正方法】変更
【補正の内容】
【０１００】
ステップＳ２１９では、ＦＡズーム操作スイッチが押下されてから所定時間内に開放されたか否かを判定する。所定時間内にＦＡズーム操作スイッチが開放された場合、自動追尾モードがキャンセルされたとして、ＦＡズーム機能を終了する。一方、所定時間内にスイッチが開放されない場合、図７ＡのステップＳ２０２に進み、手動探索モードが記憶される。すなわち、本実施形態では、自動追尾モード中にＦＡズーム操作スイッチが所定時間以上押下された場合、ＦＡモードを手動探索モードに変更する。